(57)【特許請求の範囲】
【請求項１】
電動送風機を内蔵した掃除機本体と、
該掃除機本体に形成されて前記電動送風機の吸込負圧が作用する集塵室と、
該集塵室内に着脱自在に取り付けられる口枠を有する集塵袋と、
この集塵袋を取り出すための開口端と、
前記開口端に設けられるクランプと、を備え、
前記集塵室には、前記口枠を着脱自在に保持する口枠保持部を有する枠体が、前記開口端から突出する方向に付勢する付勢手段を介して突出可能に配置され、
前記枠体は、前記口枠保持部と一体になると共に、前記集塵袋の袋体を支持する袋体支持部を有し、
前記袋体支持部は、前記集塵袋の袋体の底面を支持する底面支持部と、この袋体の側面を支持する側面支持部とを有し、
前記クランプは、前記口枠を押さえ前記付勢手段に抗して前記集塵袋および前記枠体の移動を規制することを特徴とする電気掃除機。
【請求項２】
電動送風機を内蔵した掃除機本体と、
該掃除機本体に形成されて前記電動送風機の吸込負圧が作用する集塵室と、
該集塵室内に着脱自在に取り付けられる口枠を有する集塵袋と、
この集塵袋を取り出すための開口端と、を備え、
前記集塵室には、前記口枠を着脱自在に保持する口枠保持部を有する枠体が、前記開口端から突出する方向に付勢する付勢手段を介して突出可能に配置され、
前記枠体は、前記口枠保持部と一体になると共に、前記集塵袋の袋体を支持する袋体支持部を有し、
前記袋体支持部は、前記集塵袋の袋体の底面を支持する底面支持部と、この袋体の側面を支持する側面支持部とを有し、
前記側面支持部は、前記枠体が前記開口端から突出する方向に移動した際に、展開することを特徴とする電気掃除機。
【発明の詳細な説明】
【技術分野】
【０００１】
本発明は、掃除機本体の集塵室内に口枠を有する集塵袋が着脱自在に取り付けられる電気掃除機に関するものである。
【背景技術】
【０００２】
従来から、口枠を有する集塵袋を集塵室内に装着する際に、この集塵室内に取り付けられた支持板に口枠を係合させる電気掃除機が知られている（例えば、特許文献１参照）。
【０００３】
この電気掃除機では、支持板が集塵室の底面に回動自在に取り付けられており、支持板が後方に回動した状態で集塵袋を着脱するようになっている。
【特許文献１】特開２０００−１２６１００
【発明の開示】
【発明が解決しようとする課題】
【０００４】
ところで、上述の電気掃除機では、支持板が集塵室の内部に配置されているため、集塵袋を着脱する際に支持板を確認しにくく、集塵袋の着脱を行いにくいという問題が生じていた。
【０００５】
さらに、集塵袋に塵埃が大量に捕集されていると、この集塵袋が膨らんで集塵室の内側に張りつき、この集塵室から取り出しにくくなることがあった。
【０００６】
そこで、この発明は、集塵袋を着脱しやすく、且つ、大量に塵埃を捕集して膨らんだ集塵袋であっても容易に取り出すことができる電気掃除機を提供することを目的としている。
【課題を解決するための手段】
【０００７】
上記課題を解決するために、この発明は、電動送風機を内蔵した掃除機本体と、該掃除機本体に形成されて前記電動送風機の吸込負圧が作用する集塵室と、該集塵室内に着脱自在に取り付けられる口枠を有する集塵袋と、この集塵袋を取り出すための開口端と、前記開口端に設けられるクランプと、を備え、前記集塵室には、前記口枠を着脱自在に保持する口枠保持部を有する枠体が、前記開口端から突出する方向に付勢する付勢手段を介して突出可能に配置され、前記枠体は、前記口枠保持部と一体になると共に、前記集塵袋の袋体を支持する袋体支持部を有し、前記袋体支持部は、前記集塵袋の袋体の底面を支持する底面支持部と、この袋体の側面を支持する側面支持部とを有し、前記クランプは、前記口枠を押さえ前記付勢手段に抗して前記集塵袋および前記枠体の移動を規制することを特徴としている。
また、この発明は、電動送風機を内蔵した掃除機本体と、該掃除機本体に形成されて前記電動送風機の吸込負圧が作用する集塵室と、該集塵室内に着脱自在に取り付けられる口枠を有する集塵袋と、この集塵袋を取り出すための開口端と、を備え、前記集塵室には、前記口枠を着脱自在に保持する口枠保持部を有する枠体が、前記開口端から突出する方向に付勢する付勢手段を介して突出可能に配置され、前記枠体は、前記口枠保持部と一体になると共に、前記集塵袋の袋体を支持する袋体支持部を有し、前記袋体支持部は、前記集塵袋の袋体の底面を支持する底面支持部と、この袋体の側面を支持する側面支持部とを有し、前記側面支持部は、前記枠体が前記開口端から突出する方向に移動した際に、展開することを特徴としている。
【発明の効果】
【０００８】
本発明の電気掃除機によれば、集塵袋の口枠を保持する口枠保持部をこの集塵袋を取り出すための開口端に向けて移動させた状態にすることができ、口枠保持部が確認しやすくなると共に、集塵袋が集塵室内に引っかかりにくくなり、集塵袋を容易に着脱することができる。
【０００９】
また、集塵袋に大量の塵埃が捕集されてこの集塵袋が膨らんだ状態であっても、付勢手段によって口枠保持部を有する枠体を集塵室の開口端から突出する方向に付勢することができる。
【００１０】
そのため、集塵袋が集塵室の内部から持ち上がった状態となり、容易に取り出すことが可能となる。
【発明を実施するための最良の形態】
【００１１】
以下、この発明に係る吸込口体及び電気掃除機を実施するための最良の形態を図面に基づいて説明する。
図１に示す電気掃除機１０は、掃除機本体１１と、この掃除機本体１１の接続口１１Ａに一端が着脱自在に接続された集塵ホース１２と、この集塵ホース１２の他端に設けられた手元操作管１３と、手元操作管１３に着脱自在に接続された延長管１４と、延長管１４の先端部に着脱自在に接続された吸込口体１５とを備えている。
【００１２】
手元操作管１３には、操作部１３Ａが設けられており、この操作部１３Ａには後述する電動送風機２２をＯＮ／ＯＦＦ操作する操作スイッチ１３ａ等が設けられている。
【００１３】
吸込口体１５には、底面に塵埃を吸引する図示しない吸込開口（塵埃吸込口）を有する吸込室（図示せず）が形成されており、この吸込室は延長管１４、集塵ホース１２、接続口１１Ａを順に介して掃除機本体１１内に連通している。
【００１４】
掃除機本体１１は、本体ケース２０と、後部が本体ケース２０にヒンジ結合されて前部側が上下方向に開閉可能となっている蓋体２１とを備えている。
【００１５】
本体ケース２０は、図２に示すように、後側に電動送風機２２（図１参照）が内蔵された送風機室（図示せず）が形成され、前側に集塵袋としての紙パックフィルタ５０が着脱自在に収容される集塵室３０が形成されている。
【００１６】
送風機室は、図５に示すように、区画壁２３によって集塵室３０と区画されており、この区画壁２３には連通開口２３Ａが形成されている。そして、この連通開口２３Ａを介して送風機室と集塵室３０とが連通している。
【００１７】
さらに、この連通開口２３Ａには、送風機室の内部に配置された電動送風機２２の図示しない吸込開口がほぼ対向しており、電動送風機２２によって生じた負圧が、この連通開口２３Ａを介して集塵室３０内に作用するようになっている。
【００１８】
集塵室３０は、図２〜図５に示すように、上方に開口した上部開口（開口端）３１と、接続口１１Ａに連通する吸込口（図示せず）とを有し、上部開口３１が蓋体２１によって開閉自在に密閉されるようになっている。また、吸込口は、区画壁２３に対向した集塵室３０の前壁面３０ａ（図５参照）に形成されている。
【００１９】
そして、集塵室３０内には、図５に示すように、区画壁２３から内側に向かって突出した一対の付勢リブ３２、３２と、両側壁面３０ｂ、３０ｂから内側に向かって突出した一対の間隙リブ３３、３３とが設けられている。
【００２０】
付勢リブ３２、３２は、両側壁面３０ｂ、３０ｂ近傍にそれぞれ位置しており、後述するフィルタ保持枠４６の柱部４６Ｂ、４６Ｂに形成されたスリットＳ内に挿入可能となっている。また、これらの付勢リブ３２、３２は、集塵室３０の底面から上部開口３１近傍に至るまで延在されている。
【００２１】
間隙リブ３３、３３は、後述するホルダー４０の側面支持部４５に当接する位置に設けられている。この側面支持部４５が間隙リブ３３に当接することにより、集塵室３０の側壁面３０ｂと側面支持部４５との間に間隙が生じることとなる。
【００２２】
さらに、この集塵室３０の前端部には、クランプ部材３５が設けられている。
【００２３】
このクランプ部材３５は、下端部が上部開口３１の前端部に形成された軸受部（図示せず）に前後方向に回動可能に保持されている。
【００２４】
そして、このクランプ部材３５は、上方に突出したつまみ部３５Ａと、つまみ部３５Ａから集塵室３０側に突出した爪部３５Ｂ（図２参照）とを有している。
【００２５】
爪部３５Ｂは、先端部が鉤状に形成されており、この鉤状の先端部に後述する紙パックフィルタ５０の口枠５１が嵌合することとなる。
【００２６】
なお、このクランプ部材３５は、図示しない軸受部近傍に配置されたバネ部材（図示せず）により、後方に向かって傾くように付勢されている。
【００２７】
そして、この集塵室３０内には、図２〜図４に示すように、ホルダー（枠体）４０が着脱自在に装着され、このホルダー４０を介して紙パックフィルタ５０が取り付けられるようになっている。
【００２８】
このホルダー４０は、集塵室３０の上部開口３１に向けて進退自在になっており、後述するコイルスプリング（付勢手段）ＳＰを介して上部開口３１から突出可能に配置されている。そして、このホルダー４０は、上部開口３１から上方に持ち上げることで取り外される。
【００２９】
ホルダー４０は、紙パックフィルタ５０の口枠５１を着脱自在に保持する口枠保持部４１と、この口枠保持部４１と一体になった袋体支持部４２とを有している。
【００３０】
ここで、紙パックフィルタ５０は、口枠５１と、この口枠５１が取り付けられた袋体５２とから構成されている。
【００３１】
この口枠５１は、矩形状の厚紙によって形成され、ほぼ中央に吸込開口５１Ａ（図６参照）が形成されている。なお、５１Ｂは吸込開口５１Ａの内側に設けられた環状のシール弁である。
【００３２】
また、袋体５２は、袋状の紙フィルタによって形成されており、あらかじめ所定の形状に折り畳まれている。そして、この袋体５２の開口部（図示せず）の周縁に口枠５１が取り付けられ、口枠５１の吸込開口５１Ａから袋体５２内に塵埃が入るようになっている。
【００３３】
口枠保持部４１は、図８に示すように、下方に開放したコ字状の保持部本体４１Ａと、この保持部本体４１Ａの裏面側に形成された一対の押さえ板４１Ｂ、４１Ｂとを有している。
【００３４】
なお、ここで「裏面側」とは、ホルダー４０を集塵室３０内に装着した際に、後方（集塵室３０の内側）に面する側のことである。
【００３５】
保持部本体４１Ａは、集塵室３０の前壁面３０ａに沿う板部材によって形成され、この前壁面３０ａに形成された図示しない吸込口をまたぐように配置される。この保持部本体４１Ａは、下端部が袋体支持部４２の後述する底面支持部４４にヒンジ部Ｈを介して回動可能に取り付けられている。
【００３６】
一対の押さえ板４１Ｂ、４１Ｂは、保持部本体４１Ａの両側部から突出し、この保持部本体４１Ａに沿って互いに近接する方向に延在されている。そして、この保持部本体４１Ａと一対の押さえ板４１Ｂ、４１Ｂとの間には、口枠５１を挿入可能な挿入間隙４３が設けられている（図７参照）。
【００３７】
袋体支持部４２は、図７及び図８に示すように、紙パックフィルタ５０の袋体５２の底面を支持する底面支持部４４と、この袋体５２の両側面をそれぞれ支持する一対の側面支持部４５、４５とを有している。
【００３８】
底面支持部４４は、図８に示すように、集塵室３０の底面に載置可能な大きさの外枠４４Ａと、この外枠４４Ａの内側を格子状に仕切る複数の骨組部４４Ｂとを有している。そして、外枠４４Ａの前部に口枠保持部４１が取り付けられ、後部に後述するフィルタ保持枠４６が設けられ、両側部にそれぞれ一対の側面支持部４５、４５が取り付けられている。
【００３９】
一対の側面支持部４５、４５は、図８に示すように、それぞれ集塵室３０の側壁面３０ｂに沿う大きさの外枠４５Ａと、この外枠４５Ａの内側を格子状に仕切る複数の骨組部４５Ｂとを有している。そして、外枠４５Ａの下端部が底面支持部４４にヒンジ部Ｈを介して回動可能に取り付けられている。
【００４０】
フィルタ保持枠４６は、図９に示すように、底面支持部４４の外枠４４Ａから後方に延在された保持底面４６Ａと、この保持底面４６Ａの両側部に起立した一対の柱部４６Ｂ、４６Ｂと、底面支持部４４と保持底面４６Ａとの間に起立した区画枠４６Ｃとを有している。なお、ここで「後方」とは、区画壁２３に面する方向である。
【００４１】
一対の柱部４６Ｂ、４６Ｂは、図９に示すように、それぞれ後方に開口した中空の角柱形状を呈しており、内部に付勢手段であるコイルスプリングＳＰが配置されている。このコイルスプリングＳＰは、自然長のときに柱部４６Ｂとほぼ同等の高さを有している。
【００４２】
各柱部４６Ｂ、４６Ｂの底面４６Ｂａには、前方に向かって延在されたスリットＳが形成され、上面４６Ｂｂは閉塞している。
【００４３】
区画枠４６Ｃは、格子状に形成されており、一対の柱部４６Ｂ、４６Ｂ間を連結している。
【００４４】
そして、保持底面４６Ａ上には、図９に示すように、一対の柱部４６Ｂ、４６Ｂ間に嵌り込む細塵フィルタ４７が配置される。
【００４５】
この細塵フィルタ４７は、蛇腹状に成形されたフィルタ部材を枠の内側に設けることで形成されており、紙パックフィルタ５０を透過した微細塵を捕集するようになっている。
【００４６】
そして、このホルダー４０は、口枠保持部４１及び側面支持部４５、４５がそれぞれ底面支持部４４に回動可能に取り付けられているので、集塵室３０から取り出した際に、口枠保持部４１及び側面支持部４５、４５が外方に向けて回動する。
【００４７】
つまり、このホルダー４０は、集塵室３０から取り出すと、図８に示すように展開するようになっている。
【００４８】
次に、この電気掃除機１０の作用について説明する。
【００４９】
この電気掃除機１０を使用するには、まず、蓋体２１を開け、ホルダー４０を掃除機本体１１に形成された集塵室３０内に装着する。
このとき、あらかじめホルダー４０のフィルタ保持枠４６に細塵フィルタ４７を装着しておく。これは、細塵フィルタ４７を一対の柱部４６Ｂ、４６Ｂ間に挿入することで行なうことができる。
【００５０】
そして、ホルダー４０の口枠保持部４１と一対の側面支持部４５、４５とをそれぞれ起立させ、図７に示す状態になるように押さえたまま集塵室３０内に挿入する。
【００５１】
そして、区画壁２３から突出する付勢リブ３２、３２を、フィルタ保持枠４６の柱部４６Ｂ、４６Ｂに形成されたスリットＳに挿入させながら、底面支持部４４を集塵室３０の底面に対向させる。
【００５２】
なお、ホルダー４０を挿入する際に、クランプ部材３５に底面支持部４４が接触しないように、ホルダー４０を前方に傾けた状態で挿入する。
【００５３】
スリットＳ内に挿入した付勢リブ３２は、柱部４６Ｂ内に配置されたコイルスプリングＳＰに当接し、コイルスプリングＳＰは、付勢リブ３２と柱部４６Ｂの上面４６Ｂｂとの間に挟持される。
【００５４】
つまり、ホルダー４０は、コイルスプリングＳＰを介して集塵室３０内に配置されることとなる。
【００５５】
このとき、このコイルスプリングＳＰの付勢力によって、図１０に示すように、ホルダー４０が上部開口３１から上方に突出した状態で保持される。
【００５６】
このため、ホルダー４０の口枠保持部４１が集塵室３０の上部開口３１から突出し、この上部開口３１に向けて移動した状態となる。
【００５７】
次に、この口枠保持部４１の保持部本体４１Ａと一対の押さえ板４１Ｂ、４１Ｂとの間に設けられた挿入間隙４３に、紙パックフィルタ５０の口枠５１を挿入する（図３及び図４参照）。
【００５８】
このとき、口枠保持部４１が上部開口３１から突出しているので、挿入間隙４３を確認しやすいと共に、紙パックフィルタ５０が集塵室３０内に引っかかりにくくなり、この紙パックフィルタ５０を容易に装着することができる。
【００５９】
また、口枠５１を挿入する際に一旦クランプ部材３５を押圧して起立させることで、この口枠５１をスムーズに挿入することができる。
【００６０】
そして、紙パックフィルタ５０の口枠５１が完全に挿入されると、図６に示すように、口枠５１の下端部が底面支持部４４に当接すると共に、口枠５１の両側部及び上部が保持部本体４１Ａによって押さえられ、吸込開口５１Ａが露出する。
【００６１】
なお、図６ではホルダー４０及び紙パックフィルタ５０を示しているが、この状態で集塵室３０内に配置される。
【００６２】
また、このとき、押圧が解除されて後方に傾動したクランプ部材３５は、吸込開口５１Ａ内に入り込み、紙パックフィルタ５０はクランプ部材３５に干渉することなく確実に取り付けられる。
【００６３】
一方、紙パックフィルタ５０の袋体５２は、ホルダー４０の袋体支持部４２によって取り囲まれて支持される。
【００６４】
つまり、袋体５２の底面が底面支持部４４によって支持され、袋体５２の両側面がそれぞれ一対の側面支持部４５、４５によって支持される。
【００６５】
そして、紙パックフィルタ５０をホルダー４０に取り付けたら、ホルダー４０全体をコイルスプリングＳＰの付勢力に抗して下方に押し下げる。
【００６６】
このとき、あらかじめクランプ部材３５のつまみ部３５Ａを前方に向かって押圧し、バネ部材（図示せず）の付勢力に抗してクランプ部材３５を起立させておく。
【００６７】
クランプ部材３５を起立させることで、このクランプ部材３５が邪魔にならず、ホルダー４０をスムーズに挿入することができる。
【００６８】
そして、集塵室３０内にホルダー４０が入り込んだらクランプ部材３５の押圧を解除する。これにより、クランプ部材３５はバネ部材（図示せず）の付勢力によって後方に傾動する。
【００６９】
クランプ部材３５が傾動すると、爪部３５Ｂの先端部が口枠５１の上部に係合する（図２参照）。このとき、クランプ部材３５は、バネ部材（図示せず）によって後方に傾動するように付勢されているので、このバネ部材の付勢力によって口枠５１が押さえつけられる。
【００７０】
これにより、口枠保持部４１の保持部本体４１Ａから露出した口枠５１の吸込開口５１Ａが、図示しない吸込口に対向した状態で固定される。そのため、空気の漏れ等が生じず、吸い込んだ塵埃を確実に捕集することができる。
【００７１】
また、口枠５１の下端部が底面支持部４４に当接しているので、クランプ部材３５で押さえられた口枠５１によりホルダー４０が押さえつけられる。つまり、クランプ部材３５によって口枠５１を押さえることで、ホルダー４０の上方への移動が規制されて抜け止めを行なうことができる。
【００７２】
これにより、さらに容易に紙パックフィルタ５０の装着を行なうことができると共に、部品点数の低減を図ることも可能となる。
【００７３】
また、このとき側面支持部４５、４５は、集塵室３０内に設けられた間隙リブ３３、３３に当接して起立した状態に押さえられると共に、集塵室３０の側壁面３０ｂとの間に間隙が生じる。
【００７４】
これにより、側壁面３０ｂに沿って流れる空気が阻害されず、吸込力の低下を防止することができる。
このように、図２に示すように、集塵室３０内にホルダー４０を介して紙パックフィルタ５０が取り付けられたら、蓋体２１を閉める。
【００７５】
そして、手元操作管１３の操作部１３Ａの操作スイッチ１３ａをＯＮ操作すると、電動送風機２２が駆動し、この電動送風機２２の吸込開口から空気が吸い込まれ、連通開口２３Ａを介して集塵室３０内に吸込負圧が作用する。
【００７６】
この吸込負圧は、紙パックフィルタ５０を介して集塵ホース１２、延長管１４及び吸込口体１５に順に作用する。これにより、吸込口体１５の吸込開口（図示せず）から空気と共に塵埃が吸引されていく。
【００７７】
この吸引された塵埃及び空気は、延長管１４、集塵ホース１２を順に介して集塵室３０の吸込口（図示せず）へ吸引されて、塵埃が紙パックフィルタ５０の袋体５２内に捕集される。
【００７８】
そして、紙パックフィルタ５０を交換する場合には、まず、蓋体２１をあける。次に、クランプ部材３５のつまみ部３５Ａを前方に向かって押圧し、前方に傾動させる。そして、クランプ部材３５の爪部３５Ｂの先端部から口枠５１を外す。
【００７９】
このとき、クランプ部材３５はホルダー４０には係合していないので、ホルダー４０は、コイルスプリングＳＰの付勢力によって上方に向かって移動する。
【００８０】
ここで、紙パックフィルタ５０の口枠５１が口枠保持部４１に保持され、袋体５２が袋体支持部４２によって支持されている。そのため、集塵室３０の上部開口３１からホルダー４０ごと紙パックフィルタ５０が突出する。
さらに、ホルダー４０の側面支持部４５、４５は、ホルダー４０が集塵室３０から突出することで押さえが解除され、外方に向かって回動して展開する。
【００８１】
このように、ホルダー４０及び紙パックフィルタ５０が突出したら、紙パックフィルタ５０の口枠５１を口枠保持部４１から引き出し、紙パックフィルタ５０をホルダー４０から取り出す。
【００８２】
このとき、紙パックフィルタ５０に大量の塵埃が捕集され、紙パックフィルタ５０の袋体５２が膨らんだ状態であっても、ホルダー４０によって紙パックフィルタ５０が集塵室３０から持ち上がった状態となり、容易に取り出すことができる。
【００８３】
特に、袋体５２の両側面が、一対の側面支持部４５、４５によってそれぞれ支持されているので、膨らんだ袋体５２が集塵室３０の側壁面３０ｂに張り付くことなく、円滑に取り出すことができる。
【００８４】
さらに、この側面支持部４５、４５が集塵室３０から突出したときに展開するので、袋体５２が側面支持部４５、４５にも張り付きにくくなり、さらに円滑に取り出すことが可能となる。
【００８５】
また、上述の実施の形態では、底面支持部４４及び側面支持部４５は、それぞれ外枠４４Ａ、４５Ａの内側が骨組部４４Ｂ、４５Ｂによって格子状に仕切られているので、十分な通気性を確保しつつ、確実に袋体５２を支持することができる。
【００８６】
なお、この底面支持部４４及び側面支持部４５は格子状に限らず、通気性が確保できる通気孔が設けられていればよい。
【００８７】
以上、この発明にかかる実施の形態の一つを図面により詳述してきたが、具体的な構成は上述の実施の形態に限らない。この発明の要旨を逸脱しない範囲の設計の変更等はこの発明に含まれる。
【００８８】
上述の実施の形態では、付勢手段としてコイルスプリングＳＰとしたがこれに限らず、付勢力を有するものであれば、板バネやトーションバネ等であってもよい。
【００８９】
また、上述の実施の形態では、コイルスプリングＳＰをホルダー４０の後部に位置するフィルタ保持枠４６内に設けているが、これに限らない。ホルダー４０の前部に設けたり、底面支持部４４の四隅に設けたりしてもよい。さらに、このコイルスプリングＳＰを集塵室３０内に固定してもよい。
【００９０】
また、上述の実施の形態では、クランプ部材３５によって口枠５１を固定することでホルダー４０をも押さえつけているが、他の方法でホルダー４０を固定してもよい。
【００９１】
例えば、集塵ホース１２を接続口１１Ａに差し込んだ際に、集塵ホース１２の先端部（差込口）をホルダー４０に保持された紙パックフィルタ５０の吸込開口５１Ａ内に挿入されるようにする。
【００９２】
これにより、紙パックフィルタ５０が固定され、同時にホルダー４０も押さえつけて固定するようにしてもよい。
【００９３】
さらに、蓋体２１を閉めた際にホルダー４０に当接し、このホルダー４０を集塵室３０の底面に押さえつけるようにして固定してもよい。
【００９４】
そして、上述の実施の形態では、キャニスタ型のタイプの電気掃除機について説明したが、アップライト式の電気掃除機であっても集塵袋を使用する場合であれば適用することもできる。
【図面の簡単な説明】
【００９５】
【図１】この発明に係る電機掃除機の外観を示した斜視図である。
【図２】図１に示す掃除機本体の内部を示した斜視図である。
【図３】図２においてホルダーが突出した状態を示した斜視図である。
【図４】図３において掃除機本体の斜め前方から見た斜視図である。
【図５】ホルダーを取り出した状態の掃除機本体の内部を示した斜視図である。
【図６】ホルダーに紙パックフィルタを装着した状態を示した斜視図である。
【図７】紙パックフィルタが装着されていないホルダーを示した斜視図である。
【図８】図６においてホルダーが展開した状態を示した斜視図である。
【図９】ホルダーを後方から見た斜視図である。
【図１０】掃除機本体にホルダーを装着したときの斜視図である。
【符号の説明】
【００９６】
１０          電気掃除機
１１          掃除機本体
２２          電動送風機
３０          集塵室
３１          上部開口（開口端）
４０          ホルダー（枠体）
４１          口枠保持部
５０          紙パックフィルタ（集塵袋）
５１          口枠
ＳＰ          コイルスプリング（付勢手段）
【図１】
0004693610.tif 000002
【図２】
0004693610.tif 000003
【図３】
0004693610.tif 000004
【図４】
0004693610.tif 000005
【図５】
0004693610.tif 000006
【図６】
0004693610.tif 000007
【図７】
0004693610.tif 000008
【図８】
0004693610.tif 000009
【図９】
0004693610.tif 000010
【図１０】
0004693610.tif 000011